(57)【特許請求の範囲】
【請求項１】
樹脂マスクの一方の面側に金属マスクが積層された蒸着マスクであって、
前記金属マスクには、アライメント光の反射光によって検出されるアライメントマークが設けられ、
前記蒸着マスクを平面視したときの前記アライメントマークの外縁を起点としたときに、前記樹脂マスクの他方の面側には、前記起点と重なる位置から前記樹脂マスクの外周方向に向かって位置する反射層が設けられ、
前記反射層の表面における前記アライメント光の反射率が、前記アライメントマークの表面、及び前記樹脂マスクの表面における前記アライメント光の反射率よりも高い、
蒸着マスク。
【請求項２】
前記樹脂マスクが、前記金属マスクの表面を露出させることなく、前記アライメントマークのみを露出させるためのアライメントマーク用開口部を有する、
請求項１に記載の蒸着マスク。
【請求項３】
前記アライメントマーク用開口部を断面視したときの内壁面の形状が、前記樹脂マスクの一方の面側から、前記樹脂マスクの他方の面側に向かって広がりをもつ形状を呈している、
請求項２に記載の蒸着マスク。
【請求項４】
前記アライメントマーク用開口部の内壁面に前記反射層が設けられている、
請求項３に記載の蒸着マスク。
【請求項５】
前記アライメントマーク用開口部を断面視したときの向かい合う内壁面の形状が、略平行である、
請求項２に記載の蒸着マスク。
【請求項６】
前記樹脂マスクの前記反射層と重なる領域が、前記樹脂マスクの他方の面側から前記樹脂マスクの一方の面側に向かって薄肉化されている、
請求項１、２、５の何れか１項に記載の蒸着マスク。
【請求項７】
前記反射層が、さらに、前記樹脂マスクの薄肉化されていない領域とも重なる、
請求項６に記載の蒸着マスク。
【請求項８】
前記アライメントマークが複数あり、
前記蒸着マスクを平面視したときに、１つの前記反射層は、複数の前記アライメントマークを一括して囲むように位置している、
請求項１乃至７の何れか１項に記載の蒸着マスク。
【請求項９】
樹脂マスクの一方の面側に金属マスクが積層された蒸着マスクであって、
前記金属マスクには、アライメント光の反射光によって検出されるアライメントマークが設けられ、
前記樹脂マスクは、前記アライメントマークを露出させるためのアライメントマーク用開口部を有し、
前記蒸着マスクを平面視したときの、前記アライメントマーク用開口部の前記樹脂マスクの一方の面側における開口の大きさは、前記アライメントマークの大きさよりも大きく、
前記蒸着マスクを樹脂マスク側から平面視したときの前記アライメントマーク用開口部の外縁を起点としたときに、前記樹脂マスクの他方の面側には、前記起点から前記樹脂マスクの外周方向に向かって位置する反射層が設けられ、
前記反射層の表面における前記アライメント光の反射率は、前記アライメントマークの表面、及び前記樹脂マスクの表面における前記アライメント光の反射率よりも高い、
蒸着マスク。
【請求項１０】
前記アライメントマーク用開口部と重なる前記金属マスク上にも、前記アライメントマークの表面、及び前記樹脂マスクの表面における前記アライメント光の反射率よりも、その表面における前記アライメント光の反射率が高い反射層が設けられている、
請求項９に記載の蒸着マスク。
【請求項１１】
前記アライメントマークの材料が、前記反射層の材料よりも、前記アライメント光の反射率が低い材料である、
請求項１乃至１０の何れか１項に記載の蒸着マスク。
【請求項１２】
前記アライメントマークが、樹脂材料から構成されたアライメントマークである、
請求項１乃至１０の何れか１項に記載の蒸着マスク。
【請求項１３】
前記アライメントマークが、着色されたアライメントマークである、
請求項１乃至１０の何れか１項に記載の蒸着マスク。
【請求項１４】
前記アライメントマークが、前記金属マスクを貫通する貫通孔である、
請求項１乃至１０の何れか１項に記載の蒸着マスク。
【請求項１５】
請求項１乃至１４の何れか１項に記載の蒸着マスクを得るための蒸着マスク準備体であって、
樹脂板の一方の面側に金属マスクが位置しており、
前記金属マスクが前記アライメントマークを有し、
前記樹脂板の他方の面側に前記反射層が設けられた、
蒸着マスク準備体。
【請求項１６】
請求項１乃至１４の何れか１項に記載の蒸着マスクがフレームに固定されてなる、
フレーム付き蒸着マスク。
【請求項１７】
有機半導体素子の製造方法であって、
請求項１乃至１４の何れか１項に記載の蒸着マスク、又は請求項１６に記載のフレーム付き蒸着マスクを使用する、
有機半導体素子の製造方法。
【請求項１８】
前記アライメントマークを利用して、前記蒸着マスク又は前記フレーム付き蒸着マスクと、蒸着対象物との位置合わせをし、前記有機半導体素子の製造を行う、
請求項１７に記載の有機半導体素子の製造方法。
【請求項１９】
蒸着で作製されるパターンの形成方法であって、
請求項１乃至１４の何れか１項に記載の蒸着マスク、又は請求項１６に記載のフレーム付き蒸着マスクを使用する、
パターンの形成方法。
【請求項２０】
前記アライメントマークを利用して、前記蒸着マスク又は前記フレーム付き蒸着マスクと、蒸着対象物との位置合わせをし、前記パターンの形成を行う、
請求項１９に記載のパターンの形成方法。
【発明の詳細な説明】
【技術分野】
【０００１】
本発明は、蒸着マスク、蒸着マスク準備体、フレーム付き蒸着マスク及び有機半導体素子の製造方法に関する。
【背景技術】
【０００２】
有機ＥＬ素子を用いた製品の大型化或いは基板サイズの大型化にともない、蒸着マスクに対しても大型化の要請が高まりつつある。そして、金属から構成される蒸着マスクの製造に用いられる金属板も大型化している。しかしながら、現在の金属加工技術では、大型の金属板にスリットを精度よく形成することは困難であり、スリットの高精細化への対応はできない。また、金属のみからなる蒸着マスクとした場合には、大型化に伴いその質量も増大し、フレームを含めた総質量も増大することから取り扱いに支障をきたすこととなる。
【０００３】
このような状況下、特許文献１には、スリットが設けられた金属マスクと、金属マスクの表面に位置し蒸着作製するパターンに対応した開口部が縦横に複数列配置された樹脂マスクとが積層されてなる蒸着マスクが提案されている。特許文献１に提案がされている蒸着マスクによれば、大型化した場合でも高精細化と軽量化の双方を満たすことができ、また、高精細な蒸着パターンの形成を行うことができるとされている。
【先行技術文献】
【特許文献】
【０００４】
【特許文献１】特許第５２８８０７２号公報
【発明の概要】
【発明が解決しようとする課題】
【０００５】
本発明は、上記特許文献１に記載されているような金属マスクと樹脂マスクとが積層された蒸着マスクのさらなる改良を目的とし、蒸着マスクを用いた製造過程における歩留まりの向上や、品質の向上が可能な蒸着マスク、蒸着マスク準備体、フレーム付き蒸着マスクさらには、蒸着マスクを用いた有機半導体素子の製造方法を提供することを主たる課題とする。
【課題を解決するための手段】
【０００６】
上記課題を解決するための本発明は、蒸着作製するパターンに対応する開口部が設けられた樹脂マスクの一方の面上に、前記開口部と重なるスリットが設けられた金属マスクが積層されてなる蒸着マスクであって、前記金属マスクには、アライメント光の反射光によって検出されるアライメントマークが設けられており、前記蒸着マスクを前記樹脂マスク側から平面視した場合において、前記金属マスクに設けられた前記アライメントマークの外周に位置する前記樹脂マスクの他方の面上には、反射層が設けられており、前記反射層の表面における前記アライメント光の反射率は、前記アライメントマークの表面、及び前記樹脂マスクの表面における前記アライメント光の反射率よりも高いことを特徴とする。
【０００７】
また、上記蒸着マスクの発明において、前記樹脂マスクには、前記金属マスクの表面を露出させることなく、前記アライメントマークのみを露出させるためのアライメントマーク用開口部が設けられていてもよい。
【０００８】
また、上記課題を解決するための本発明は、蒸着作製するパターンに対応する開口部が設けられた樹脂マスクの一方の面上に、前記開口部と重なるスリットが設けられた金属マスクが積層されてなる蒸着マスクであって、前記金属マスクには、アライメント光の反射光によって検出されるアライメントマークが設けられており、前記樹脂マスクには、前記アライメントマーク、及び前記金属マスクの表面の一部を露出させるためのアライメントマーク用開口部が設けられており、前記蒸着マスクを前記樹脂マスク側から平面視した場合において、前記アライメントマーク用開口部によって露出している前記金属マスクの外周に位置する前記樹脂マスクの他方の面上には、反射層が設けられ、前記反射層の表面における前記アライメント光の反射率は、前記アライメントマークの表面、及び前記樹脂マスクの表面における前記アライメント光の反射率よりも高いことを特徴とする。
【０００９】
また、前記アライメントマークが、前記金属マスクを貫通する貫通孔であってもよい。
【００１０】
また、上記課題を解決するための本発明は、蒸着作製するパターンに対応する開口部が設けられた樹脂マスクの一方の面上に、前記開口部と重なるスリットが設けられた金属マスクが積層されてなる蒸着マスクを得るための蒸着マスク準備体であって、樹脂板の一方の面上にスリットが設けられた金属マスクが積層されてなり、前記金属マスクには、アライメント光の反射光によって検出されるアライメントマークが設けられており、前記蒸着マスク準備体を前記樹脂板側から平面視した場合において、前記金属マスクに設けられた前記アライメントマークの外周に位置する前記樹脂板の他方の面上には、反射層が設けられており、前記反射層の表面における前記アライメント光の反射率は、前記アライメントマークの表面、及び前記樹脂板の表面における前記アライメント光の反射率よりも高いことを特徴とする。
【００１１】
また、上記課題を解決するための本発明は、フレームに蒸着マスクが固定されてなるフレーム付き蒸着マスクであって、前記蒸着マスクは、蒸着作製するパターンに対応する開口部が設けられた樹脂マスクの一方の面上に、前記開口部と重なるスリットが設けられた金属マスクが積層されてなり、前記金属マスクには、アライメント光の反射光によって検出されるアライメントマークが設けられており、前記蒸着マスクを前記樹脂マスク側から平面視した場合において、前記金属マスクに設けられた前記アライメントマークの外周に位置する前記樹脂マスクの他方の面上には、反射層が設けられており、前記反射層の表面における前記アライメント光の反射率は、前記アライメントマークの表面、及び前記樹脂マスクの表面における前記アライメント光の反射率よりも高いことを特徴とする。
【００１２】
また、上記課題を解決するための本発明は、有機半導体素子の製造方法であって、フレームに蒸着マスクが固定されてなるフレーム付き蒸着マスクを用いて蒸着対象物に蒸着パターンを形成する工程を含み、前記蒸着パターンを形成する工程において、前記フレームに固定される前記蒸着マスクが、蒸着作製するパターンに対応する開口部が設けられた樹脂マスクの一方の面上に、前記開口部と重なるスリットが設けられた金属マスクが積層されてなり、前記金属マスクには、アライメント光の反射光によって検出されるアライメントマークが設けられており、前記蒸着マスクを前記樹脂マスク側から平面視した場合において、前記金属マスクに設けられた前記アライメントマークの外周に位置する前記樹脂マスクの他方の面上には、反射層が設けられており、前記反射層の表面における前記アライメント光の反射率が、前記アライメントマークの表面、及び前記樹脂マスクの表面における前記アライメント光の反射率よりも高い蒸着マスクであることを特徴とする。
【００１３】
また、前記蒸着パターンを形成する工程では、前記フレーム付き蒸着マスクの蒸着マスクに設けられた前記アライメントマークを利用して、当該フレーム付き蒸着マスクと前記蒸着対象物との位置合わせをし、前記有機半導体素子の製造を行ってもよい。
【発明の効果】
【００１４】
本発明の蒸着マスクやフレーム付き蒸着マスクによれば、大型化した場合でも高精細化と軽量化の双方を満たし、かつ、蒸着マスクを用いた製造過程における歩留まりや、品質を向上せしめることができる。また、本発明の蒸着マスク準備体によれば、上記の効果を奏する蒸着マスクを得ることができる。また、本発明の有機半導体素子の製造方法によれば、品質に優れる有機半導体素子を歩留まりよく製造することができる。
【図面の簡単な説明】
【００１５】
【図１】（ａ）は、第１実施形態の蒸着マスクを樹脂マスク側から平面視したときの正面図であり、（ｂ）は、第１実施形態の樹脂マスクを金属マスク側から平面視したときの正面図であり、（ｃ）は、（ｂ）のＡ−Ａ概略断面図である。
【図２】（ａ）は、第１実施形態の蒸着マスクの部分概略断面図であり、（ｂ）は、（ａ）を樹脂マスク側から平面視したときの部分拡大正面図である。
【図３】（ａ）は、第１実施形態の蒸着マスクの部分概略断面図であり、（ｂ）は、（ａ）を樹脂マスク側から平面視したときの部分拡大正面図である。
【図４】（ａ）は、第２実施形態の蒸着マスクを樹脂マスク側から平面視したときの正面図であり、（ｂ）は、第２実施形態の樹脂マスクを金属マスク側から平面視したときの正面図であり、（ｃ）は、（ｂ）のＡ−Ａ概略断面図である。
【図５】（ａ）は、第２実施形態の蒸着マスクの部分概略断面図であり、（ｂ）は、（ａ）を樹脂マスク側から平面視したときの部分拡大正面図である。
【図６】（ａ）は、第２実施形態の蒸着マスクの部分概略断面図であり、（ｂ）は、（ａ）を樹脂マスク側から平面視したときの部分拡大正面図である。
【図７】（ａ）は、第２実施形態の蒸着マスクの部分概略断面図であり、（ｂ）は、（ａ）を樹脂マスク側から平面視したときの部分拡大正面図である。
【図８】（ａ）は、第２実施形態の蒸着マスクの部分概略断面図である。
【図９】一実施形態の樹脂マスクを樹脂マスク側から平面視したときの正面図である。
【図１０】一実施形態の樹脂マスクを樹脂マスク側から平面視したときの正面図である。
【図１１】一実施形態の樹脂マスクを樹脂マスク側から平面視したときの正面図である。
【図１２】一実施形態の樹脂マスクを樹脂マスク側から平面視したときの正面図である。
【図１３】比較の蒸着マスクの概略断面図である。
【図１４】（ａ）は、第３実施形態の蒸着マスクを樹脂マスク側から平面視したときの正面図であり、（ｂ）は、第３蒸着マスクを金属マスク側から平面視したときの正面図であり、（ｃ）は、（ｂ）のＡ−Ａ概略断面図である。
【図１５】（ａ）は、第３実施形態の蒸着マスクの部分概略断面図であり、（ｂ）は、（ａ）を樹脂マスク側から平面視したときの部分拡大正面図である。
【図１６】実施形態（Ａ）の蒸着マスクを金属マスク側から平面視したときの正面図である。
【図１７】実施形態（Ａ）の蒸着マスクを金属マスク側から平面視したときの正面図である。
【図１８】実施形態（Ａ）の蒸着マスクを金属マスク側から平面視したときの正面図である。
【図１９】（ａ）、（ｂ）はともに実施形態（Ａ）の蒸着マスクを金属マスク側から平面視したときの正面図である。
【図２０】（ａ）は、実施形態（Ｂ）の蒸着マスクを金属マスク側から平面視したときの正面図であり、（ｂ）は樹脂マスク側から平面視したときの正面図である。
【図２１】（ａ）は、実施形態（Ｂ）の蒸着マスクを金属マスク側から平面視したときの正面図であり、（ｂ）は樹脂マスク側から平面視したときの正面図である。
【図２２】第１実施形態の蒸着マスクの製造方法を説明するための概略断面図である。
【図２３】第１実施形態の蒸着マスクの製造方法を説明するための概略断面図である。
【図２４】第２実施形態の蒸着マスクの製造方法を説明するための概略断面図である。
【図２５】第３実施形態の蒸着マスクの製造方法を説明するための概略断面図である。
【図２６】（ａ）は、第１実施形態の蒸着マスク準備体の概略断面図であり、（ｂ）は、第２実施形態の蒸着マスク準備体の概略断面図であり、（ｃ）は、第３実施形態の蒸着マスク準備体の概略断面図である。
【図２７】一実施形態のフレーム付き蒸着マスクを樹脂マスク側から平面視したときの正面図である。
【図２８】一実施形態のフレーム付き蒸着マスクを樹脂マスク側から平面視したときの正面図である。
【発明を実施するための形態】
【００１６】
＜＜蒸着マスク＞＞
以下に、本発明の蒸着マスク１００について第１実施形態、第２実施形態、第３実施形態を例に挙げて具体的に説明する。
【００１７】
＜第１実施形態の蒸着マスク＞
第１実施形態の蒸着マスク１００は、図１（ａ）〜（ｃ）に示すように、蒸着作製するパターンに対応する開口部２５が設けられた樹脂マスクの２０一方の面上に、開口部２５と重なるスリット１５が設けられた金属マスク１０が積層された構成をとる。そして、第１実施形態の蒸着マスク１００は、金属マスク１０に、アライメント光の反射光によって検出されるアライメントマーク４０が設けられており、蒸着マスク１００を樹脂マスク２０側から平面視した場合において、アライメントマーク４０の外周に位置する樹脂マスク２０の他方の面上に、反射層５０が設けられていることを特徴としている。さらに、第１実施形態の蒸着マスク１００は、この反射層５０が、樹脂マスク２０側からアライメント光を照射したときに、その反射率が、アライメントマーク４０、及び樹脂マスク２０の他方の面におけるアライメント光の反射率よりも高い反射層５０であることを特徴としている。なお、図１（ａ）は、第１実施形態の蒸着マスクを樹脂マスク２０側から平面視したときの正面図であり、図１（ｂ）は、第１実施形態の蒸着マスクを金属マスク１０側から平面視したときの正面図であり、図１（ｃ）は、図１（ｂ）のＡ−Ａ概略断面図である。
【００１８】
上記特徴を有する第１実施形態の蒸着マスク１００によれば、反射層５０の存在によって、アライメントマーク４０を精度よく検出することができる。以下、樹脂マスク２０側から平面視した場合において、アライメントマーク４０の外周に位置する樹脂マスク２０の他方の面上に、反射層５０が設けられていない比較の蒸着マスク１００Ｘ（図１３参照）を例に挙げて、第１実施形態の蒸着マスク１００の優位性について説明を行う。本願明細書で言う「アライメントマーク」とは、蒸着マスクをフレームに固定する際の位置合わせや、フレームに蒸着マスクが固定されたフレーム付き蒸着マスクを用いて蒸着を行うときに、フレーム付き蒸着マスクと蒸着対象物との位置合わせ等を行うために用いられるマークである。
【００１９】
蒸着マスク１００におけるアライメントマーク４０の検出は、樹脂マスク２０側から、カメラが検出する光の光軸と同軸にアライメント光を照射し、アライメントマーク４０と厚み方向において重なる領域、及びアライメントマーク４０の外周と厚み方向において重なる領域で反射したアライメント光の反射光をカメラ等の撮像装置を用いて撮像し、撮像された陰影画像を参照して行われる。以下、アライメントマーク４０と厚み方向において重なる領域のことを、「アライメントマーク４０に対応する領域」、アライメントマーク４０の外周と厚み方向において重なる領域のことを、「アライメントマークの外周に対応する領域」と言う場合がある。なお、アライメントマーク４０を検出するために照射されるアライメント光の波長域についていかなる限定もされることはなく、たとえば、可視光域である３６０ｎｍ〜８３０ｎｍ程度である。アライメントマーク４０の検出は、たとえば、ＣＣＤカメラと画像認識機構を用いて行うことができる。
【００２０】
アライメントマーク４０の検出における検出精度を高めるためには、換言すれば、撮像された陰影画像のコントラストを高めるためには、アライメントマーク４０に対応する領域で反射するアライメント光の反射強度と、アライメントマーク４０の外周に対応する領域において反射するアライメント光の反射強度との反射強度の差を大きくすることが好ましい。具体的には、アライメントマーク４０に対応する領域においては、アライメント光が反射しない、或いはアライメント光の反射強度が低く、アライメントマーク４０の外周に対応する領域においては、アライメント光の反射強度が高いことが好ましい。
【００２１】
図１３に示すように、比較の蒸着マスク１００Ｘは、当該蒸着マスク１００Ｘを、樹脂マスク２０側から平面視した場合において、アライメントマーク４０の外周に位置する樹脂マスク２０の他方の面上に反射層５０が設けられていないことから、アライメントマーク４０に対応する領域の最表面には、樹脂マスク２０の表面が位置している。本願明細書で言う「樹脂マスクの表面」とは、樹脂マスクの面のうち、金属マスクと接しない側の表面、すなわち、樹脂マスクの他方の面を意味する。また、「金属マスクの表面」とは、金属マスクの面のうち、樹脂マスクと接する側の面を意味する。
【００２２】
樹脂マスク２０は、後述するように樹脂材料からなり、アライメント光の反射強度は低い。したがって、比較の蒸着マスク１００Ｘでは、樹脂マスク２０側から、アライメント光を照射したときに、アライメントマークの外周に対応する領域におけるアライメント光の反射強度を高くすることはできない。なお、アライメントマークの外周に対応する領域に照射されたアライメント光の一部は、樹脂マスク２０を透過し、金属マスク１０の表面で反射するものの、金属マスク１０の表面で反射した反射光は、樹脂マスク２０によって減衰されてしまうことから、その反射強度は低いものとなる。つまり、比較の蒸着マスク１００Ｘでは、アライメントマーク４０に対応する領域で反射するアライメント光の反射強度と、アライメントマーク４０の外周に対応する領域において反射するアライメント光の反射強度との差を大きくすることはできず、比較の蒸着マスク１００Ｘでは、アライメントマーク４０を精度よく検出することが困難となる。
【００２３】
一方で、第１実施形態の蒸着マスク１００は、蒸着マスク１００を樹脂マスク２０側から平面視した場合において、アライメントマーク４０の外周に位置する樹脂マスク２０側から平面視した場合において、アライメントマーク４０の表面、及び樹脂マスク２０の表面よりも、その表面におけるアライメント光の反射率が高い反射層５０が設けられている。つまりは、アライメントマーク４０の外周に対応する領域の最表面には、アライメント光の反射強度が高い反射層５０が位置している。したがって、第１実施形態の蒸着マスク１００によれば、この反射層５０の存在によって、上記比較の蒸着マスク１００Ｘと比較して、アライメントマーク４０に対応する領域におけるアライメント光の反射強度と、アライメントマーク４０の外周に対応する領域におけるアライメント光の反射強度との差を大きくすることができ、アライメントマーク４０を精度よく検出することができる。つまり、第１実施形態の蒸着マスクによれば、撮像される陰影画像のコントラストを高めることができ、アライメントマーク４０を精度よく検出することができる。
【００２４】
第１実施形態の蒸着マスクは、反射層５０におけるアライメント光の反射率が、アライメントマーク４０の表面、及び樹脂マスク２０の表面におけるアライメント光の反射率よりも高いことを必須の条件としている。これは、蒸着マスク１００を樹脂マスク２０側から平面視した場合において、アライメントマーク４０の外周に位置する樹脂マスク２０の表面に反射層５０を設けた場合であっても、当該反射層５０におけるアライメントマーク４０の反射率が、アライメントマーク４０の表面や、樹脂マスク２０の表面におけるアライメント光の反射率よりも低い場合には、アライメントマーク４０に対応する領域におけるアライメント光の反射強度と、アライメントマーク４０の外周に対応する領域におけるアライメント光の反射強度との差を大きくすることができず、アライメントマーク４０を精度よく検出することができないことによる。
【００２５】
図示する形態では、金属マスク１０に複数のアライメントマーク４０が設けられ、全てのアライメントマークについて、その外周に位置する樹脂マスク２０の表面に反射層５０が設けられているが、複数のアライメントマーク４０のうちの少なくとも１つのアライメントマーク４０について、その外周に位置する樹脂マスク２０の表面に、反射層５０が設けられていればよい。換言すれば、金属マスク１０に設けられている複数のアライメントマーク４０の全てについて、その外周に位置する樹脂マスク２０の表面に、反射層５０が設けられていなくともよい。好ましい形態の蒸着マスク１００は、金属マスク１０に２つ以上のアライメントマーク４０が設けられており、２つ以上のアライメントマーク４０について、その外周に位置する樹脂マスク２０の表面に、反射層５０が設けられている。なお、金属マスクには、少なくとも１つのアライメントマーク４０が設けられ、蒸着マスクを樹脂マスク側から平面視した場合において、当該少なくとも１つのアライメントマーク４０の外周に位置する樹脂マスク２０の表面に、反射層５０が設けられていればよい。
【００２６】
アライメントマーク４０は、その表面におけるアライメント光の反射率が、反射層５０の反射率よりも低いとの条件を満たせばよく、図１に示すように、金属マスク１０を貫通する貫通孔そのものをアライメントマーク４０としてもよく、図２に示すように、反射層５０の材料よりもアライメント光の反射率の低い材料を用いて、金属マスク１０上に、アライメントマーク４０を設けることもできる。なお、図２（ａ）は、別の形態のアライメントマーク４０の一例を示す部分概略断面図であり、（ｂ）は、（ａ）を樹脂マスク側から平面視した部分拡大正面図である。
【００２７】
図２に示す別の形態のアライメントマーク４０の材料について特に限定はないが、アライメント光の反射率が低い樹脂材料が好適である。樹脂材料としては、後述する樹脂マスク２０の材料などを適宜選択して用いることができる。
【００２８】
また、別の形態のアライメントマーク４０においては、その表面におけるアライメント光の反射強度をより低くするべく、着色されたアライメントマーク４０とすることもできる。
【００２９】
また、図２に示される別の形態のアライメントマーク４０にかえて、金属マスク１０の樹脂マスクと接する側の表面に凹部を形成し、この凹部内に上記樹脂材料等を充填した樹脂層を形成し、当該樹脂層をアライメントマーク４０とすることもできる（図示しない）。
【００３０】
なお、図１に示す形態のアライメントマーク４０は、貫通孔そのものがアライメントマーク４０となっていることから、アライメントマーク４０の表面まで到達したアライメント光は、そのままアライメントマーク４０としての貫通孔を通過する。つまり、貫通孔によって規定されるアライメントマーク４０によれば、アライメントマーク４０の表面におけるアライメント光の反射率は「０％」となる。上記別の形態のアライメントマーク４０（図２参照）は、反射層５０よりも、その表面におけるアライメント光の反射率は低いとの条件を満たすものの、アライメント光の一部は、アライメントマーク４０の表面で反射する。したがって、貫通孔によって規定されるアライメントマーク４０と、別の形態のアライメントマーク４０とを比較すると、貫通孔によって規定されるアライメントマーク４０を有する蒸着マスクの方が、別の形態のアライメントマーク４０を有する蒸着マスクよりも、アライメントマーク４０に対応する領域におけるアライメント光の反射強度は低くなる。上記で説明したように、アライメントマーク４０に対応する領域におけるアライメント光の反射強度は低いことが好ましいことから、その表面においてアライメント光の反射光を生じさせることのない、貫通孔によって規定されるアライメントマーク４０は、好ましい形態のアライメントマーク４０であるといえる。なお、貫通孔によって規定されるアライメントマークの表面とは、金属マスク１０の樹脂マスク２０と接する側の面と、同一面上に位置するアライメントマーク４０の開口部分をいう。
【００３１】
また、図３に示すように、アライメントマーク４０の外周に対応する樹脂マスクを薄肉化させ、当該薄肉化させた部分に反射層５０を設けることもできる。なお、図３に示す形態では、貫通孔によってアライメントマーク４０が規定されているが、このアライメントマーク４０にかえて、上記別の形態のアライメントマーク４０（図２参照）としてもよい。
【００３２】
各図に示す形態では、アライメントマーク４０の形状は円形状となっているが、この形状に限定されるものではなく、カメラ等の撮像装置によって認識可能なあらゆる形状とすることができる。例えば、アライメントマーク４０の形状としては、矩形形状や、十字形状などを挙げることができる。なお、アライメントマークの形状とは、アライメントマーク４０を樹脂マスク側から平面視したときの形状を意味する。
【００３３】
図１に示すように、第１実施形態の蒸着マスク１００は、アライメントマーク４０上に樹脂マスク２０が位置している、換言すれば、アライメントマーク４０は、樹脂マスクの一方の面と接している。したがって、第１実施形態の蒸着マスク１００においては、樹脂マスク２０側からアライメント光を照射した場合に、アライメント光の一部は、アライメントマーク４０上に位置する樹脂マスク２０の表面で反射する。アライメントマーク４０上に位置する樹脂マスク２０の表面で反射した反射光は、撮像される陰影画像のコントラストの低下を引き起こすようにも考えられるが、上記で説明したように樹脂マスク２０の表面におけるアライメント光の反射率は低いことから、アライメントマーク４０上に位置する樹脂マスク２０の表面で反射するアライメント光の反射光が、アライメントマーク４０の検出精度に与える影響は軽微であるといえる。さらに、第１実施形態の蒸着マスク１００は、蒸着マスク１００を樹脂マスク２０側から平面視した場合において、アライメントマーク４０の外周に位置する樹脂マスク２０の表面に、樹脂マスク２０よりも、その表面におけるアライメント光の反射率が高い反射層５０が設けられていることから、アライメントマーク４０に対応する領域に位置する樹脂マスクの表面でアライメント光が反射したとしても、撮像される陰影画像のコントラストを十分に高めることができる。
【００３４】
アライメントマーク４０、及び反射層５０を設ける位置について特に限定はなく、蒸着マスク１００を樹脂マスク２０側から平面視した場合に、アライメントマーク４０の外周に位置する樹脂マスク上に反射層５０が設けられているとの条件を満たせば、いかなる位置に設けてもよい。
【００３５】
図９〜図１２は、図１に示される第１実施形態の蒸着マスクの変形例である。図１に示す形態では、アライメントマーク４０の外周に位置する樹脂マスク上に、それぞれ反射層５０が設けられているが、図９、図１０に示すように、樹脂マスク上に、縦方向、或いは横方向に連続する反射層５０を設け、当該連続する反射層５０を、複数のアライメントマーク４０の外周に位置させてもよい。また、金属マスク１０に設けられるアライメントマーク４０の位置についても特に限定はなく、たとえば、図１１、図１２に示すように、隣接する開口部２５間と重なる位置にアライメントマーク４０を設けてもよい。この変形形態は、後述する第２実施形態、第３実施形態の蒸着マスクに適用することもできる。
【００３６】
（第１実施形態の蒸着マスクにおける反射層）
蒸着マスクを樹脂マスク側から平面視した場合において、アライメントマーク４０の外周に位置する樹脂マスクの表面には、アライメントマーク４０の表面、及び樹脂マスクの表面よりも、アライメント光の反射率が高い反射層５０が設けられている。反射層５０は、アライメントマークの外周に対応する領域におけるアライメント光の反射強度を高めることを目的とする層である。
【００３７】
つまり、反射層５０は、
（ｉ）蒸着マスクを樹脂マスク側から平面視した場合において、アライメントマーク４０の外周に位置する樹脂マスク２０の表面に設けられている。
（ｉｉ）反射層５０の表面におけるアライメント光の反射率は、アライメントマーク４０の表面、及び樹脂マスクの表面よりも高い。
ことを必須の条件としている。
【００３８】
反射層５０は、上記の条件を満たせば、その材料等について特に限定はなく、例えば、反射強度の高い樹脂材料、セラミック材料、金属材料等を用いることができる。なかでも、金属材料は、反射層５０におけるアライメント光の反射強度を容易に高くできる点で反射層の材料として好ましい。金属材料としては、例えば、ニッケル、鉄、アルミニウム、ステンレス鋼、鉄ニッケル合金、アルミニウム合金などの金属材料を挙げることができる。
【００３９】
反射層５０の厚みについて特に限定はなく、アライメント光の反射強度を所望の強度とすることができる厚みとすればよい。なお、図１に示すように、樹脂マスク２０の頂面よりも高い位置に反射層５０の頂面が位置している形態において、反射層５０の厚みを厚くしていった場合には、蒸着対象物と蒸着マスクとを重ね合わせたときに、蒸着対象物と蒸着マスクとの間に隙間が生じやすくなる傾向にある。この点を考慮すると、反射層５０の厚みは、３μｍ以下であることが好ましく、１μｍ以下であることがより好ましい。なお、図３に示すように、樹脂マスク２０の頂面よりも高い位置に反射層５０の頂面が位置しない形態とする場合には、反射層５０の厚みについていかなる限定もされることはない。各図に示す形態では反射層５０の厚みを誇張して示している。
【００４０】
（第１実施形態の蒸着マスクにおける金属マスク）
各図に示すように、樹脂マスク２０の一方の面上には、金属マスク１０が積層されている。金属マスク１０は、金属から構成され、縦方向或いは横方向に延びるスリット１５が配置されている。スリット１５は開口と同義である。また、スリット１５は、樹脂マスク２０と重なる位置に設けられている。スリットの配置例について特に限定はなく、各図に示すように縦方向、及び横方向に延びるスリットが、縦方向、及び横方向に複数列配置されていてもよく、縦方向に延びるスリットが、横方向に複数列配置されていてもよく、横方向に延びるスリットが縦方向に複数列配置されていてもよい。また、縦方向、或いは横方向に１列のみ配置されていてもよい。
【００４１】
なお、本願明細書で言う「縦方向」、「横方向」とは、蒸着マスクを平面視した図において、図面の上下方向、左右方向をさし、蒸着マスク、樹脂マスク、金属マスクの長手方向、幅方向のいずれの方向であってもよい。例えば、蒸着マスク、樹脂マスク、金属マスクの長手方向を「縦方向」としてもよく、幅方向を「縦方向」としてもよい。また、本願明細書では、蒸着マスクを平面視したときの形状が矩形状である場合を例に挙げて説明しているが、これ以外の形状、例えば、円形状、ひし形形状等としてもよい。この場合、対角線の長手方向や、径方向、或いは、任意の方向を「長手方向」とし、この「長手方向」に直交する方向を、「幅方向（短手方向と言う場合もある）」とすればよい。
【００４２】
上記で説明したように、金属マスク１０には、アライメントマーク４０が設けられている。図１に示す形態では、金属マスク１０の樹脂マスク２０と接する側の面に複数のアライメントマーク４０が設けられている。
【００４３】
金属マスク１０の材料について特に限定はなく、蒸着マスクの分野で従来公知のものを適宜選択して用いることができ、例えば、ステンレス鋼、鉄ニッケル合金、アルミニウム合金などの金属材料を挙げることができる。中でも、鉄ニッケル合金であるインバー材は熱による変形が少ないので好適に用いることができる。
【００４４】
金属マスク１０の厚みについても特に限定はないが、シャドウの発生をより効果的に防止するためには、１００μｍ以下であることが好ましく、５０μｍ以下であることがより好ましく、３５μｍ以下であることが特に好ましい。なお、５μｍより薄くした場合、破断や変形のリスクが高まるとともにハンドリングが困難となる傾向にある。なお、シャドウとは、蒸着源から放出された蒸着材の一部が、金属マスク１０のスリット１５の内壁面に衝突して蒸着対象物へ到達しないことにより、目的とする蒸着膜厚よりも薄い膜厚となる未蒸着部分が生ずる現象のことをいう。特に、開口部２５の形状を微細化していくことにともない、シャドウによる影響は大きくなる。
【００４５】
また、各図に示す形態では、スリット１５の開口形状は、矩形状を呈しているが、開口形状について特に限定はなく、スリット１５の開口形状は、台形状、円形状等いかなる形状であってもよい。
【００４６】
金属マスク１０に形成されるスリット１５の断面形状についても特に限定されることはないが、図１（ｃ）に示すように蒸着源に向かって広がりをもつような形状であることが好ましい。換言すれば、金属マスクの面において、樹脂マスク２０と接する側の面から、樹脂マスク２０と接しない側の面に向かって広がりをもつような形状であることが好ましい。より具体的には、金属マスク１０のスリット１５における下底先端と、同じく金属マスク１０のスリット１５における上底先端とを結んだ直線と、金属マスク１０の底面とのなす角度、換言すれば、金属マスク１０のスリット１５を構成する内壁面の厚み方向断面において、スリット１５の内壁面と金属マスク１０の樹脂マスク２０と接する側の面（図示する形態では、金属マスクの上面）とのなす角度は、５°〜８５°の範囲内であることが好ましく、１５°〜８０°の範囲内であることがより好ましく、２５°〜６５°の範囲内であることがさらに好ましい。特には、この範囲内の中でも、使用する蒸着機の蒸着角度よりも小さい角度であることが好ましい。
【００４７】
樹脂マスク上に金属マスク１０を積層する方法について特に限定はなく、樹脂マスク２０と金属マスク１０とを各種粘着剤を用いて貼り合わせてもよく、自己粘着性を有する樹脂マスクを用いてもよい。樹脂マスク２０と金属マスク１０の大きさは同一であってもよく、異なる大きさであってもよい。なお、この後に任意で行われるフレームへの固定を考慮して、樹脂マスク２０の大きさを金属マスク１０よりも小さくし、金属マスク１０の外周部分が露出された状態としておくと、金属マスク１０とフレームとの固定が容易となり好ましい。
【００４８】
（第１実施形態の蒸着マスクにおける樹脂マスク）
図１に示すように、樹脂マスク２０には、複数の開口部２５が設けられている。複数の開口部２５は、金属マスク１０と樹脂マスク２０を積層したときに、金属マスク１０のスリット１５と重なる位置に設けられている。
【００４９】
樹脂マスク２０は、従来公知の樹脂材料を適宜選択して用いることができ、その材料について特に限定されないが、レーザー加工等によって高精細な開口部２５の形成が可能であり、熱や経時での寸法変化率や吸湿率が小さく、軽量な材料を用いることが好ましい。このような材料としては、ポリイミド樹脂、ポリアミド樹脂、ポリアミドイミド樹脂、ポリエステル樹脂、ポリエチレン樹脂、ポリビニルアルコール樹脂、ポリプロピレン樹脂、ポリカーボネート樹脂、ポリスチレン樹脂、ポリアクリロニトリル樹脂、エチレン酢酸ビニル共重合体樹脂、エチレン−ビニルアルコール共重合体樹脂、エチレン−メタクリル酸共重合体樹脂、ポリ塩化ビニル樹脂、ポリ塩化ビニリデン樹脂、セロファン、アイオノマー樹脂等を挙げることができる。上記に例示した材料の中でも、その熱膨張係数が１６ｐｐｍ／℃以下である樹脂材料が好ましく、吸湿率が１．０％以下である樹脂材料が好ましく、この双方の条件を備える樹脂材料が特に好ましい。この樹脂材料を用いた樹脂マスクとすることで、開口部２５の寸法精度を向上させることができ、かつ熱や経時での寸法変化率や吸湿率を小さくすることができる。
【００５０】
樹脂マスク２０の厚みについて特に限定はないが、シャドウの発生の抑制効果をさらに向上せしめる場合には、樹脂マスク２０の厚みは、２５μｍ以下であることが好ましく、１０μｍ未満であることがより好ましく、８μｍ以下であることが特に好ましい。下限値の好ましい範囲について特に限定はないが、樹脂マスク２０の厚みが３μｍ未満である場合には、ピンホール等の欠陥が生じやすく、また変形等のリスクが高まる。特に、樹脂マスク２０の厚みを、３μｍ以上１０μｍ未満、より好ましくは４μｍ以上８μｍ以下とすることで、４００ｐｐｉを超える高精細パターンを形成する際のシャドウの影響をより効果的に防止することができる。樹脂マスク２０と後述する金属マスク１０とは、直接的に接合されていてもよく、粘着剤層を介して接合されていてもよいが、粘着剤層を介して樹脂マスク２０と金属マスク１０とが接合される場合には、樹脂マスク２０と粘着剤層との合計の厚みが上記好ましい厚みの範囲内であることが好ましい。
【００５１】
また、各図に示す形態では、開口部２５の開口形状は、矩形状を呈しているが、開口形状について特に限定はなく、開口部２５の開口形状は、台形状、円形状等いかなる形状であってもよい。
【００５２】
樹脂マスク２０に設けられている開口部２５の断面形状は、向かい合う端面同士が略平行であってもよいが、図１（ｃ）に示すように開口部２５はその断面形状は、樹脂マスク２０において金属マスク１０と接しない側の面から、樹脂マスク２０において金属マスク１０と接する側の面に向かって、広がりをもつ形状であることが好ましい。具体的には、樹脂マスク２０の開口部２５を構成する内壁面の厚み方向断面において、開口部２５の内壁面と、樹脂マスク２０の金属マスク１０と接しない側の面（図示する形態では、樹脂マスクの上面）とのなす角度は、５°〜８５°の範囲内であることが好ましく、１５°〜８０°の範囲内であることがより好ましく、２５°〜６５°の範囲内であることがさらに好ましい。特には、この範囲内の中でも、使用する蒸着機の蒸着角度よりも小さい角度であることが好ましい。また、図１（ｃ）に示す形態では、開口部２５を形成する端面は直線形状を呈しているが、これに限定されることはなく、外に凸の湾曲形状となっている、つまり開口部２５の全体の形状がお椀形状となっていてもよい。このような断面形状を有する開口部２５は、例えば、開口部２５の形成時における、レーザーの照射位置や、レーザーの照射エネルギーを適宜調整する、或いは照射位置を段階的に変化させる多段階のレーザー照射を行うことで形成可能である。また、所謂サイドエッチングの性質を利用して、エッチング加工法により、上記好ましい断面形状の開口部２５を形成することもできる。
【００５３】
＜第２実施形態の蒸着マスク＞
上記で説明しように、アライメントマークに対応する領域に位置する樹脂マスク２０の表面で反射したアライメント光の反射光が、アライメントマーク４０の検出精度に与える影響は軽微であるものの、アライメントマークの検出精度をより高めるためには、アライメント光がアライメントマーク４０まで到達するまでの間に、アライメントマーク４０に対応する領域において、アライメント光の反射光は生じないことが好ましい。
【００５４】
第２実施形態の蒸着マスク１００は、図４（ａ）〜（ｃ）に示すように、蒸着作製するパターンに対応する開口部２５が設けられた樹脂マスクの２０一方の面上に、開口部２５と重なるスリット１５が設けられた金属マスク１０が積層された構成をとる。そして、第２実施形態の蒸着マスク１００は、金属マスク１０に、アライメント光の反射光によって検出されるアライメントマーク４０が設けられており、樹脂マスク２０には、金属マスク１０の表面を露出させることなく、アライメントマーク４０のみを露出させるためのアライメントマーク用開口部２６が設けられており、蒸着マスク１００を樹脂マスク２０側から平面視した場合において、アライメントマーク４０の外周に位置する樹脂マスク２０の表面に、反射層５０が設けられていることを特徴としている。さらに、第２実施形態の蒸着マスク１００は、この反射層５０が、樹脂マスク２０側からアライメント光を照射したときに、その反射率が、アライメントマーク４０、及び樹脂マスク２０の表面におけるアライメント光の反射率よりも高いことを特徴としている。なお、図４（ａ）は、第２実施形態の蒸着マスクを樹脂マスク２０側から平面視したときの正面図であり、図４（ｂ）は、第２実施形態の蒸着マスクを金属マスク１０側から平面視したときの正面図であり、図４（ｃ）は、図４（ｂ）のＡ−Ａ概略断面図である。なお、第２実施形態の蒸着マスクは、樹脂マスク２０に、金属マスク１０の表面を露出させることなく、アライメントマーク４０のみを露出させるためのアライメントマーク用開口部２６が設けられている点を除いて、上記で説明した第１実施形態の蒸着マスクと共通する。以下、第２実施形態の蒸着マスク１００について、第１実施形態の蒸着マスクとの相違点を中心に説明する。
【００５５】
第２実施形態の蒸着マスク１００は、図４に示すように、アライメントマーク４０が樹脂マスクと接しない形態をとることから、樹脂マスク側からアライメント光を照射したときに、当該アライメント光を、直接アライメントマーク４０まで到達させることができる。つまり、アライメント光がアライメントマーク４０まで到達するまでの間に、アライメントマーク４０に対応する領域において、アライメント光の反射光は生じない。したがって、第２実施形態の蒸着マスク１００によれば、第１実施形態の蒸着マスクと比較して、撮像される陰影画像のコントラストをさらに高めることができ、極めて精度よくアライメントマーク４０を検出することが可能となる。
【００５６】
また、第２実施形態の蒸着マスクによれば、樹脂マスク２０の材料選択の幅を広げることができる。具体的には、上記第１実施形態の蒸着マスク１００において、樹脂マスク２０の材料として、アライメント光の反射率が高い樹脂材料や、アライメント光の透過率が低い樹脂材料等を用いた場合には、アライメントマーク４０の検出時において、アライメントマークに対応する領域に対応する領域におけるアライメント光の反射強度が高くなる、或いは、アライメント光をアライメントマーク４０まで到達させにくくなる傾向にある。第２実施形態の蒸着マスク１００は、アライメントマーク４０が、アライメントマーク用開口部２６によって露出していることから、樹脂材料がいかなるものであっても、アライメントマークの検出の妨げとなることはなく、樹脂マスクの材料にかかわらず、精度よくアライメントマーク４０を検出することができる。このことは、アライメントマーク用開口部２６が本発明の蒸着マスクにおいて必須の構成であることを意味するものではなく、アライメントマーク用開口部２６は、本発明の蒸着マスク１００における任意の構成である。
【００５７】
図５〜図７は、第２実施形態の蒸着マスクの一例を示す部分概略断面図、及び部分拡大正面図であり、各図の（ａ）は、アライメントマーク４０の近傍の部分概略断面図であり、（ｂ）は、（ａ）を樹脂マスク側から平面視した部分拡大正面図である。
【００５８】
図５に示す形態の蒸着マスクは、金属マスク１０に、貫通孔によって規定されるアライメントマーク４０が設けられ、樹脂マスク２０に、アライメントマーク用開口部２６が設けられ、当該アライメントマーク用開口部２６は、蒸着マスクを樹脂マスク側から平面視した場合において、アライメントマーク４０の外周に位置する金属マスクの表面を露出させることなく、アライメントマーク４０のみを露出させている。同図に示す形態の蒸着マスク１００は、蒸着マスク１００を樹脂マスク側から平面視した場合において、アライメントマーク４０の外周に位置する樹脂マスク２０が薄肉化されており、当該薄肉化されている部分に反射層５０が設けられている。図５に示す形態の蒸着マスクによれば、同図（ｂ）に示すように、蒸着マスクを樹脂マスク側から平面視した場合において、アライメントマーク４０の外周に反射層５０が位置することから、アライメントマーク４０の外周に対応する領域におけるアライメント光の反射強度を高めることができ、アライメントマーク４０を精度よく検出することができる。
【００５９】
図６に示す形態の蒸着マスクは、図５に示す形態の蒸着マスクにおいて、蒸着マスクを樹脂マスク側から平面視した場合において、薄肉化されていない樹脂マスク２０の表面にも反射層５０が設けられている。この形態の蒸着マスクにおいても、アライメントマーク４０の外周に対応する領域のみならず、その近傍においてもアライメント光の反射強度を高めることができ、アライメントマーク４０を正確に検出することができる。
【００６０】
図４〜図６に示す形態では、アライメントマーク用開口部２６の向かい合う内壁面同士は略平行となっているが、図７に示すように、アライメントマーク用開口部２６の内壁面を、樹脂マスク２０側に向かって広がりをもつテーパー形状とすることもできる。図７に示す形態の蒸着マスクにおいても、図７（ｂ）に示すように、蒸着マスクを樹脂マスク側から平面視した場合において、アライメントマーク４０の外周に位置する樹脂マスク上に反射層５０が設けられていることから、アライメントマーク４０の外周に対応する領域におけるアライメント光の反射強度を高めることができ、アライメントマーク４０を精度よく検出することができる。なお、図７に示す形態において、内壁面ではない樹脂マスクの表面に、さらに反射層５０を設けてもよい（図示しない）。
【００６１】
また、図８に示すように、アライメントマーク用開口部２６を平面視したときの形状を、アライメントマーク４０を構成する貫通穴を平面視したときの形状よりも小さくしてもよい。図４〜図７に示す形態では、蒸着マスクを樹脂マスク側から平面視したときの、アライメントマーク用開口部２６の形状と、アライメントマーク４０の形状が同一の形状となっており、蒸着マスクを樹脂マスク側から平面視したときの貫通孔の形状がそのままアライメントマーク４０となり、図８に示す形態では、蒸着マスクを樹脂マスク側から平面視した場合において、金属マスク１０に設けられている貫通孔のうち、アライメントマーク用開口部２６によって露出している部分がアライメントマーク４０となる。
【００６２】
第２実施形態の蒸着マスクにおける反射層５０、金属マスク１０としては、上記「第１実施形態の蒸着マスクにおける反射層」、上記「第１実施形態の蒸着マスクにおける金属マスク」をそのまま用いることができ、ここでの詳細な説明は省略する。また、第２実施形態の蒸着マスクにおける樹脂マスク２０は、金属マスク１０の表面を露出させることなく、アライメントマーク４０のみを露出させるためのアライメントマーク用開口部２６が設けられている点を除き、上記第１実施形態における樹脂マスク２０で説明した構成を適宜選択して用いることができる。
【００６３】
＜＜第３実施形態の蒸着マスク＞＞
第３実施形態の蒸着マスク１００は、図１４（ａ）〜（ｃ）に示すように、蒸着作製するパターンに対応する開口部２５が設けられた樹脂マスクの２０一方の面上に、開口部２５と重なるスリット１５が設けられた金属マスク１０が積層された構成をとる。そして、第３実施形態の蒸着マスク１００は、金属マスク１０に、アライメント光の反射光によって検出されるアライメントマーク４０が設けられており、また、樹脂マスク２０には、アライメントマーク４０、及び当該アライメントマーク４０の外周に位置する金属マスク１０の表面の一部を露出させるためのアライメントマーク用開口部２６が設けられており、蒸着マスク１００を樹脂マスク２０側から平面視した場合において、アライメントマーク用開口部２６によって露出している金属マスク１０の外周に位置する樹脂マスク２０の表面に、反射層５０が設けられていることを特徴としている。さらに、第３実施形態の蒸着マスク１００は、この反射層５０が、樹脂マスク２０側からアライメント光を照射したときに、その反射率が、アライメントマーク４０、及び樹脂マスク２０の表面におけるアライメント光の反射率よりも高いことを特徴としている。なお、図１４（ａ）は、第３実施形態の蒸着マスクを樹脂マスク２０側から平面視したときの正面図であり、図１４（ｂ）は、第３実施形態の蒸着マスクを金属マスク１０側から平面視したときの正面図であり、図１４（ｃ）は、図１４（ｂ）のＡ−Ａ概略断面図である。
【００６４】
第３実施形態の蒸着マスク１００によれば、アライメントマーク用開口部２６によって、アライメントマーク４０、及び金属マスク１０の表面の一部が露出していることから、アライメント光を、直接的に、アライメントマーク用開口部２６によって露出しているアライメントマーク４０、及び金属マスク１０の表面に到達させることができる。そして、第３実施形態の蒸着マスクにおいては、蒸着マスクを樹脂マスク側から平面視した場合おいて、アライメントマーク４０の外周に位置する金属マスクの表面は、アライメントマーク用開口部２６によって露出していることから、上記第１実施形態、第２実施形態の蒸着マスクのように、蒸着マスクを樹脂マスク側から平面視した場合において、アライメントマーク４０の外周に位置する樹脂マスクの表面に反射層５０が設けられていなくとも、アライメントマーク４０を精度よく検出することができる。
【００６５】
なお、アライメントマーク用開口部２６によって露出している金属マスクの表面の領域が小さい場合には、当該露出している金属マスクの表面の外周に位置する樹脂マスクの表面で反射したアライメント光の反射光が、金属マスクの表面で反射したアライメント光の反射光により撮像される画像のコントラストの低下を引き起こすノイズ成分となる場合がある。しかしながら、第３実施形態の蒸着マスク１００は、蒸着マスクを樹脂マスク側から平面視した場合において、アライメントマーク用開口部２６によって露出している金属マスクの表面の外周に位置する樹脂マスクの表面に反射層５０が設けられていることから、アライメントマーク４０の外周に対応する領域において反射するアライメント光の反射強度を全体として高くすることができ、精度よくアライメントマーク４０を検出することができる。
【００６６】
第３実施形態の蒸着マスク１００は、アライメントマーク用開口部２６によって、アライメントマーク４０のみならず、金属マスク１０の表面の一部が露出している点、及び蒸着マスクを樹脂マスク側から平面視した場合において、当該露出している金属マスク１０の表面の外周に位置する樹脂マスク２０の表面に反射層５０が設けられている点を除いて、すべて上記第１実施形態、第２実施形態の蒸着マスク１００と共通し、この相違点以外は、上記で説明した上記第１実施形態、第２実施形態の構成を適宜選択して用いることができる。
【００６７】
図１５（ａ）は、第３実施形態の蒸着マスクの一例を示す部分概略断面図であり、（ｂ）は、（ａ）樹脂マスク側から平面視したときの部分拡大正面図である。第３実施形態の蒸着マスク１００は、同図に示される形態に限定されるものではなく、たとえば、アライメントマーク用開口部２６によって露出している金属マスク１０の表面に、さらに反射層５０を設けてもよい（図示しない）。また、アライメントマーク用開口部２６によって露出している金属マスク１０の表面の外周に位置する樹脂マスクの厚みを薄肉化させ、当該薄肉化させた部分に反射層５０を設けてもよい（図示しない）。
【００６８】
以下、より高精細な蒸着パターンの作製が可能となる蒸着マスクの形態について実施形態（Ａ）、及び実施形態（Ｂ）を例に挙げ説明する。以下では、実施形態（Ａ)、（Ｂ）の蒸着マスクを、上記第１実施形態の蒸着マスク１００に適応させた例を中心に説明を行うが、第２実施形態、第３実施形態の蒸着マスク１００に適用することもできる。なお、各種実施形態の蒸着マスク１００は、以下で説明する形態に限定されるものではなく、蒸着作製するパターンに対応する開口部２５が設けられた樹脂マスクの２０一方の面上に、開口部２５と重なるスリット１５が設けられた金属マスク１０が積層されているとの条件を満たすものであれば、いかなる形態であってもよい。例えば、金属マスク１０に設けられているスリット１５は、ストライプ状（図示しない）であってもよい。また、１画面全体と重ならない位置に、金属マスク１０のスリット１５が設けられていてもよい。１画面については後述する。
【００６９】
＜実施形態（Ａ）の蒸着マスク＞
図１６に示すように、本発明の実施形態（Ａ）の蒸着マスク１００は、複数画面分の蒸着パターンを同時に形成するための蒸着マスクであって、樹脂マスク２０の一方の面上に、複数のスリット１５が設けられた金属マスク１０が積層されてなり、樹脂マスク２０には、複数画面を構成するために必要な開口部２５が設けられ、各スリット１５が、少なくとも１画面全体と重なる位置に設けられていることを特徴とする。さらに、実施形態（Ａ）の蒸着マスク１００は、金属マスク１０に、アライメント光の反射光によって検出されるアライメントマークが設けられており、蒸着マスク１００を樹脂マスク２０側から平面視した場合において、金属マスク１０に設けられたアライメントマーク４０の外周に位置する樹脂マスク２０の表面に反射層５０が設けられていることを特徴とし、また、反射層５０の表面におけるアライメント光の反射率は、アライメントマーク４０の表面、及び樹脂マスク２０の表面におけるアライメント光の反射率よりも高いことを特徴としている。また、樹脂マスク２０に、金属マスク１０の表面を露出させることなく、アライメントマーク４０のみを露出させるための、或いは、アライメントマーク４０、及び金属マスクの表面の一部を露出させるためのアライメントマーク用開口部２６が設けられていてもよい。
【００７０】
実施形態（Ａ）の蒸着マスクによれば、アライメントマークを精度よく検出することができ、高精細な蒸着パターンの作製が可能となる。実施形態（Ａ）の蒸着マスク１００は、樹脂マスク２０の一方の面上に、複数のスリット１５が設けられた金属マスク１０が積層されてなり、樹脂マスク２０には、複数画面を構成するために必要な開口部２５が設けられ、各スリット１５が、少なくとも１画面全体と重なる位置に設けられていることを条件としている以外は、すべて上記で説明した第１実施形態の蒸着マスクや、第２実施形態、第３実施形態の蒸着マスクと共通し、共通点についてのここでの詳細な説明は省略する。なお、図１６〜図１９は、実施形態（Ａ）の蒸着マスクを金属マスク側から平面視したときの正面図である。
【００７１】
実施形態（Ａ）の蒸着マスク１００は、複数画面分の蒸着パターンを同時に形成するために用いられる蒸着マスクであり、１つの蒸着マスク１００で、複数の製品に対応する蒸着パターンを同時に形成することができる。実施形態（Ａ）の蒸着マスクで言う「開口部」とは、実施形態（Ａ）の蒸着マスク１００を用いて作製しようとするパターンを意味し、例えば、当該蒸着マスクを有機ＥＬディスプレイにおける有機層の形成に用いる場合には、開口部２５の形状は当該有機層の形状となる。また、「１画面」とは、１つの製品に対応する開口部２５の集合体からなり、当該１つの製品が有機ＥＬディスプレイである場合には、１つの有機ＥＬディスプレイを形成するのに必要な有機層の集合体、つまり、有機層となる開口部２５の集合体が「１画面」となる。そして、実施形態（Ａ）の蒸着マスク１００は、複数画面分の蒸着パターンを同時に形成すべく、樹脂マスク２０には、上記「１画面」が、所定の間隔をあけて複数画面分配置されている。すなわち、樹脂マスク２０には、複数画面を構成するために必要な開口部２５が設けられている。
【００７２】
実施形態（Ａ）の蒸着マスクは、樹脂マスクの一方の面上に、複数のスリット１５が設けられた金属マスク１０が設けられ、各スリットは、それぞれ少なくとも１画面全体と重なる位置に設けられている点を特徴とする。換言すれば、１画面を構成するのに必要な開口部２５間において、横方向に隣接する開口部２５間に、スリット１５の縦方向の長さと同じ長さであって、金属マスク１０と同じ厚みを有する金属線部分や、縦方向に隣接する開口部間２５に、スリット１５の横方向の長さと同じ長さであって、金属マスク１０と同じ厚みを有する金属線部分が存在していないことを特徴とする。以下、スリット１５の縦方向の長さと同じ長さであって、金属マスク１０と同じ厚みを有する金属線部分や、スリット１５の横方向の長さと同じ長さであって、金属マスク１０と同じ厚みを有する金属線部分のことを総称して、単に金属線部分と言う場合がある。
【００７３】
実施形態（Ａ）の蒸着マスク１００によれば、１画面を構成するのに必要な開口部２５の大きさや、１画面を構成する開口部２５間のピッチを狭くした場合、例えば、４００ｐｐｉを超える画面の形成を行うべく、開口部２５の大きさや、開口部２５間のピッチを極めて微小とした場合であっても、金属線部分による干渉を防止することができ、高精細な画像の形成が可能となる。なお、１画面が、複数のスリットによって分割されている場合、換言すれば、１画面を構成する開口部２５間に金属マスク１０と同じ厚みを有する金属線部分が存在している場合には、１画面を構成する開口部２５間のピッチが狭くなっていくことにともない、開口部２５間に存在する金属線部分が蒸着対象物へ蒸着パターンを形成する際の支障となり高精細な蒸着パターンの形成が困難となる。換言すれば、１画面を構成する開口部２５間に金属マスク１０と同じ厚みを有する金属線部分が存在している場合は、当該金属線部分が、シャドウの発生を引き起こし高精細な画面の形成が困難となる。
【００７４】
次に、図１６〜図１９を参照して、１画面を構成する開口部２５の一例について説明する。なお、図示する形態において破線で閉じられた領域が１画面となっている。図示する形態では、説明の便宜上少数の開口部２５の集合体を１画面としているが、この形態に限定されるものではなく、例えば、１つの開口部２５を１画素としたときに、１画面に数百万画素の開口部２５が存在していてもよい。
【００７５】
図１６に示す形態では、縦方向、横方向に複数の開口部２５が設けられてなる開口部２５の集合体によって１画面が構成されている。図１７に示す形態では、横方向に複数の開口部２５が設けられてなる開口部２５の集合体によって１画面が構成されている。また、図１８に示す形態では、縦方向に複数の開口部２５が設けられてなる開口部２５の集合体によって１画面が構成されている。そして、図１６〜図１８では、１画面全体と重なる位置にスリット１５が設けられている。
【００７６】
上記で説明したように、スリット１５は、１画面のみと重なる位置に設けられていてもよく、図１９（ａ）、（ｂ）に示すように、２以上の画面全体と重なる位置に設けられていてもよい。図１７（ａ）では、図１４に示す樹脂マスク１０において、横方向に連続する２画面全体と重なる位置にスリット１５が設けられている。図１７（ｂ）では、縦方向に連続する３画面全体と重なる位置にスリット１５が設けられている。
【００７７】
次に、図１６に示す形態を例に挙げて、１画面を構成する開口部２５間のピッチ、画面間のピッチについて説明する。１画面を構成する開口部２５間のピッチや、開口部２５の大きさについて特に限定はなく、蒸着作製するパターンに応じて適宜設定することができる。例えば、４００ｐｐｉの高精細な蒸着パターンの形成を行う場合には、１画面を構成する開口部２５において隣接する開口部２５の横方向のピッチ（Ｐ１）、縦方向のピッチ（Ｐ２）は６０μｍ程度となる。また、開口部の大きさは、５００μｍ2〜１０００μｍ2程度となる。また、１つの開口部２５は、１画素に対応していることに限定されることはなく、例えば、画素配列によっては、複数画素を纏めて１つの開口部２５とすることもできる。
【００７８】
画面間の横方向ピッチ（Ｐ３）、縦方向ピッチ（Ｐ４）についても特に限定はないが、図１６に示すように、１つのスリット１５が、１画面全体と重なる位置に設けられる場合には、各画面間に金属線部分が存在することとなる。したがって、各画面間の縦方向ピッチ（Ｐ４）、横方向のピッチ（Ｐ３）が、１画面内に設けられている開口部２５の縦方向ピッチ（Ｐ２）、横方向ピッチ（Ｐ１）よりも小さい場合、或いは略同等である場合には、各画面間に存在している金属線部分が断線しやすくなる。したがって、この点を考慮すると、画面間のピッチ（Ｐ３、Ｐ４）は、１画面を構成する開口部２５間のピッチ（Ｐ１、Ｐ２）よりも広いことが好ましい。画面間のピッチ（Ｐ３、Ｐ４）の一例としては、１ｍｍ〜１００ｍｍ程度である。なお、画面間のピッチとは、１の画面と、当該１の画面と隣接する他の画面とにおいて、隣接している開口部間のピッチを意味する。このことは、後述する実施形態（Ｂ）の蒸着マスクにおける開口部２５のピッチ、画面間のピッチについても同様である。
【００７９】
なお、図１９に示すように、１つのスリット１５が、２つ以上の画面全体と重なる位置に設けられる場合には、１つのスリット１５内に設けられている複数の画面間には、スリットの内壁面を構成する金属線部分が存在しないこととなる。したがって、この場合、１つのスリット１５と重なる位置に設けられている２つ以上の画面間のピッチは、１画面を構成する開口部２５間のピッチと略同等であってもよい。
【００８０】
また、樹脂マスク２０には、樹脂マスク２０の縦方向、或いは横方向にのびる溝（図示しない）が形成されていてもよい。蒸着時に熱が加わった場合、樹脂マスク２０が熱膨張し、これにより開口部２５の寸法や位置に変化が生じる可能性があるが、溝を形成することで樹脂マスクの膨張を吸収することができ、樹脂マスクの各所で生じる熱膨張が累積することにより樹脂マスク２０が全体として所定の方向に膨張して開口部２５の寸法や位置が変化することを防止することができる。溝の形成位置について限定はなく、１画面を構成する開口部２５間や、開口部２５と重なる位置に設けられていてもよいが、縦画面間に設けられていることが好ましい。また、溝は、樹脂マスクの一方の面、例えば、金属マスクと接する側の面のみに設けられていてもよく、金属マスクと接しない側の面のみに設けられていてもよい。或いは、樹脂マスク２０の両面に設けられていてもよい。
【００８１】
また、隣接する画面間に縦方向に延びる溝としてもよく、隣接する画面間に横方向に延びる溝を形成してもよい。さらには、これらを組み合わせた態様で溝を形成することも可能である。
【００８２】
溝の深さやその幅については特に限定はないが、溝の深さが深すぎる場合や、幅が広すぎる場合には、樹脂マスク２０の剛性が低下する傾向にあることから、この点を考慮して設定することが必要である。また、溝の断面形状についても特に限定されることはなくＵ字形状やＶ字形状など、加工方法などを考慮して任意に選択すればよい。実施形態（Ｂ）の蒸着マスクについても同様である。
【００８３】
＜実施形態（Ｂ）の蒸着マスク＞
次に実施形態（Ｂ）の蒸着マスクについて説明する。図２０、図２１に示すように、実施形態（Ｂ）の蒸着マスクは、蒸着作製するパターンに対応した開口部２５が複数設けられた樹脂マスク２０の一方の面上に、１つのスリット（１つの貫通孔１６）が設けられた金属マスク１０が積層されてなり、当該複数の開口部２５の全てが、金属マスク１０に設けられた１つの貫通孔と重なる位置に設けられている点を特徴とする。さらに、実施形態（Ｂ）の蒸着マスク１００は、図２０（ｂ）、図２１（ｂ）に示すように、金属マスク１０に、アライメント光の反射光によって検出されるアライメントマークが設けられており、蒸着マスク１００を樹脂マスク２０側から平面視した場合において、金属マスク１０に設けられたアライメントマーク４０の外周に位置する樹脂マスク２０の表面に反射層５０が設けられていることを特徴とし、また、反射層５０の表面におけるアライメント光の反射率は、アライメントマーク４０の表面、及び樹脂マスク２０の表面におけるアライメント光の反射率よりも高いことを特徴としている。また、樹脂マスク２０に、金属マスク１０の表面を露出させることなく、アライメントマーク４０のみを露出させるための、或いは、アライメントマーク４０、及び金属マスクの表面の一部を露出させるためのアライメントマーク用開口部２６が設けられていてもよい。
【００８４】
実施形態（Ｂ）の蒸着マスクによれば、アライメントマークを精度よく検出することができ、高精細な蒸着パターンの作製が可能となる。実施形態（Ｂ）の蒸着マスク１００は、樹脂マスク２０の一方の面上に、１つのスリット（１つの貫通孔１６）が設けられた金属マスク１０が積層されてなり、当該複数の開口部２５の全てが、金属マスク１０に設けられた１つの貫通孔と重なる位置に設けられていることを条件としている以外は、すべて上記で説明した第１実施形態の蒸着マスク、或いは第２実施形態、第３実施形態の蒸着マスクと共通し、共通点についてのここでの詳細な説明は省略する。なお、図２０（ａ）、図２１（ａ）は、実施形態（Ｂ）の蒸着マスクを金属マスク側から平面視したときの正面図であり、図２０（ｂ）、図２１（ｂ）は樹脂マスク側から平面視したときの正面図である。実施形態（Ｂ）の蒸着マスク１００は、図示するように、１つのスリットが設けられた金属マスク１０が樹脂マスク２０上に積層されていることから、アライメントマーク４０は、金属マスク１０の外周近傍に設けられている。
【００８５】
実施形態（Ｂ）で言う開口部２５とは、蒸着対象物に蒸着パターンを形成するために必要な開口部を意味し、蒸着対象物に蒸着パターンを形成するために必要ではない開口部は、１つの貫通孔１６と重ならない位置に設けられていてもよい。
【００８６】
実施形態（Ｂ）の蒸着マスク１００は、複数の開口部２５を有する樹脂マスク２０上に、１つの貫通孔１６を有する金属マスク１０が設けられており、かつ、複数の開口部２５の全ては、当該１つの貫通孔１６と重なる位置に設けられている。この構成を有する実施形態（Ｂ）の蒸着マスク１００では、開口部２５間に、金属マスクの厚みと同じ厚み、或いは、金属マスクの厚みより厚い金属線部分が存在していないことから、上記実施形態（Ａ）の蒸着マスクで説明したように、金属線部分による干渉を受けることなく樹脂マスク２０に設けられている開口部２５の寸法通りに高精細な蒸着パターンを形成することが可能となる。
【００８７】
また、実施形態（Ｂ）の蒸着マスクによれば、金属マスク１０の厚みを厚くしていった場合であっても、シャドウの影響を殆ど受けることがないことから、金属マスク１０の厚みを、耐久性や、ハンドリング性を十分に満足させることができるまで厚くすることができ、高精細な蒸着パターンの形成を可能としつつも、耐久性や、ハンドリング性を向上させることができる。
【００８８】
実施形態（Ｂ）の蒸着マスクにおける樹脂マスク２０は、樹脂から構成され、図２０（ａ）、図２１（ａ）に示すように、１つの貫通孔１６と重なる位置に蒸着作製するパターンに対応した開口部２５が複数設けられている。開口部２５は、蒸着作製するパターンに対応しており、蒸着源から放出された蒸着材が開口部２５を通過することで、蒸着対象物には、開口部２５に対応する蒸着パターンが形成される。なお、図示する形態では、開口部が縦横に複数列配置された例を挙げて説明をしているが、縦方向、或いは横方向にのみ配置されていてもよい。
【００８９】
実施形態（Ｂ）の蒸着マスク１００は、１画面に対応する蒸着パターンの形成に用いられるものであってもよく、２以上の画面に対応する蒸着パターンの同時形成に用いられるものであってもよい。実施形態（Ｂ）の蒸着マスクにおける「１画面」とは、１つの製品に対応する開口部２５の集合体を意味し、当該１つの製品が有機ＥＬディスプレイである場合には、１つの有機ＥＬディスプレイを形成するのに必要な有機層の集合体、つまり、有機層となる開口部２５の集合体が「１画面」となる。この場合には、所定の間隔をあけて開口部２５が設けられていることが好ましい（図１６〜図１８の開口部、及び１画面の配置例を参照）。図２０、図２１では１２０個の開口部２５によって１画面が構成されているが、この形態に限定されるものではなく、例えば、１つの開口部２５を１画素としたときに、数百万個の開口部２５によって１画面を構成することもできる。画面間のピッチの一例としては、縦方向のピッチ、横方向のピッチともに１ｍｍ〜１００ｍｍ程度である。なお、画面間のピッチとは、１の画面と、当該１の画面と隣接する他の画面とにおいて、隣接している開口部間のピッチを意味する。
【００９０】
実施形態（Ｂ）の蒸着マスク１００における金属マスク１０は、金属から構成され１つの貫通孔１６を有している。そして、本発明では、当該１つの貫通孔１６は、金属マスク１０の正面からみたときに、全ての開口部２５と重なる位置、換言すれば、樹脂マスク２０に配置された全ての開口部２５がみえる位置に配置されている。また、上記で説明したように金属マスク１０の樹脂マスク２０と接する側の面の一部に、複数のアライメントマーク４０が設けられており、当該複数のアライメントマーク４０のうちの少なくとも１つは、アライメントマーク用開口部２６と厚み方向で重なり、樹脂マスク側に露出している。
【００９１】
金属マスク１０を構成する金属部分、すなわち貫通孔１６以外の部分は、図２０に示すように蒸着マスク１００の外縁に沿って設けられていてもよく、図２１に示すように金属マスク１０の大きさを樹脂マスク２０よりも小さくし、樹脂マスク２０の外周部分近傍を露出させてもよい。なお、いずれの場合であっても、貫通孔１６の大きさは、樹脂マスク２０の大きさよりも小さく構成されている。
【００９２】
図２０に示される金属マスク１０の貫通孔の壁面をなす金属部分の横方向の幅（Ｗ１）や、縦方向の幅（Ｗ２）について特に限定はないが、Ｗ１、Ｗ２の幅が狭くなっていくに従い、耐久性や、ハンドリング性が低下していく傾向にある。したがって、Ｗ１、Ｗ２は、耐久性や、ハンドリング性を十分に満足させることができる幅とすることが好ましい。金属マスク１０の厚みに応じて適切な幅を適宜設定することができるが、好ましい幅の一例としては、実施形態（Ａ）の金属マスクと同様、Ｗ１、Ｗ２ともに１ｍｍ〜１００ｍｍ程度である。
【００９３】
＜＜蒸着マスクの製造方法＞＞
次に、本発明の蒸着マスクの製造方法について一例を挙げて説明する。
【００９４】
＜第１実施形態の蒸着マスクの製造方法＞
第１実施形態の蒸着マスクの製造方法は、図２２（ａ）に示すように、アライメントマーク４０、及びスリット１５が設けられた金属マスク１０を、樹脂板３０と積層してなる樹脂板付き金属マスク１５０を準備する準備工程と、図２２（ｂ）に示すように、樹脂板付き金属マスク１５０に対し、レーザーを照射することで、図２２（ｃ）に示すように、樹脂板３０に蒸着作製するパターンに対応する開口部２５を形成する開口部形成工程と、図２２（ｄ）に示すように、樹脂マスク側から平面視したときに、アライメントマーク４０の外周に位置する樹脂マスクの表面に反射層５０を形成する反射層形成工程を含む。
【００９５】
「準備工程」
準備工程は、アライメントマーク４０、及びスリット１５が設けられた金属マスクを、樹脂板３０と積層してなる樹脂板付き金属マスク１５０を準備する工程である。樹脂板３０は、上記樹脂マスク２０で説明した材料を用いることができる。
【００９６】
樹脂板付き金属マスク５０を構成する樹脂板３０は、板状の樹脂のみならず、コーティングによって形成された樹脂層や樹脂膜であってもよい。つまり、樹脂板は、予め準備されたものであってもよく、金属板と樹脂板３０とを用いて樹脂板付き金属マスク１５０を形成する場合には、金属板上に、従来公知のコーティング法等によって、最終的に樹脂マスクとなる樹脂層、或いは樹脂膜を形成することもできる。
【００９７】
スリット１５、及びアライメントマーク４０が設けられた金属マスク１０の形成方法としては、金属板の表面にマスキング部材、例えば、レジスト材を塗工し、所定の箇所を露光し、現像することで、最終的にスリット１５、及びアライメントマーク４０が形成される位置を残したレジストパターンを形成する。マスキング部材として用いるレジスト材としては処理性が良く、所望の解像性があるものが好ましい。次いで、このレジストパターンを耐エッチングマスクとして用いてエッチング法によりエッチング加工する。エッチングが終了後、レジストパターンを洗浄除去する。これにより、スリット１５、及びアライメントマーク４０が設けられた金属マスク１０が得られる。スリット１５、及びアライメントマーク４０を形成するためのエッチングは、金属板の片面側から行ってもよく、両面から行ってもよい。また、金属板に樹脂板が設けられた積層体を用いて、金属板にスリット１５、及びアライメントマーク４０を形成する場合には、金属板の樹脂板と接しない側の表面にマスキング部材を塗工して、片面側からのエッチングによってスリット１５、及びアライメントマーク４０が形成される。なお、樹脂板が、金属板のエッチング材に対し耐エッチング性を有する場合には、樹脂板の表面をマスキングする必要はないが、樹脂板が、金属板のエッチング材に対する耐性を有しない場合には、樹脂板の表面にマスキング部材を塗工しておく必要がある。また、上記では、マスキング部材としてレジスト材を中心に説明を行ったが、レジスト材を塗工する代わりにドライフィルムレジストをラミネートし、同様のパターニングを行ってもよい。
【００９８】
また、上記の方法にかえて、樹脂板と接する側の面上に、アライメントマーク４０としての樹脂層が設けられた金属マスク１０（図２の金属マスクを参照）と、樹脂板３０とを積層してなる樹脂板付き金属マスク１５０を準備してもよい。この樹脂板付き金属マスクとする場合には、予め、アライメントマーク４０としての樹脂層が設けられた金属マスク１０を準備し、当該準備された金属マスク１０を樹脂板と貼り合わせておく。
【００９９】
また、上記の方法にかえて、レーザー加工法を用いて、スリット１５、アライメントマーク４０を形成することもできる。また、エッチング加工と、レーザー加工を組合せることもできる。例えば、スリット１５をエッチング加工により形成し、アライメントマーク４０をレーザー加工により形成してもよく、スリット１５をレーザー加工により形成し、アライメントマーク４０をエッチング加工により形成してもよい。
【０１００】
「開口部形成工程」
開口部形成工程は、図２２（ｂ）に示すように、樹脂板付き金属マスク１５０に対し、金属マスク１０側からスリット１５を通してレーザーを照射して、樹脂板３０に蒸着作製するパターンに対応する開口部２５を形成する工程である。
【０１０１】
「反射層形成工程」
反射層形成工程は、図２２（ｄ）に示すように、樹脂マスク側から平面視したときに、アライメントマーク４０の外周、または近傍に反射層５０が位置するように、樹脂マスク上に反射層５０を形成する工程である。
【０１０２】
反射層の形成方法について特に限定はなく、たとえば、反射層形成予定位置に、金属材料を付着させる方法を挙げることができる。金属材料を付着させる方法としては、例えば、真空蒸着法、スパッタリング法、イオンプレーティング法等の各種ＰＶＤ法、ＣＶＤ法、メッキ法等を挙げることができる。金属材料の付着量について特に限定はなく、上記で説明した反射層５０の好ましい厚みとなるような範囲で付着させることが望ましい。金属材料は、樹脂マスク２０の表面全体に付着させてもよいが、蒸着マスクを、樹脂マスク側から平面視した場合において、開口部２５の外周に位置する樹脂マスク２０の表面に反射層５０が設けられている場合には、反射層５０の厚みによっては、シャドウの影響が大きくなることが懸念される。したがって、反射層５０は、蒸着マスクを、樹脂マスク側から平面視した場合において、開口部２５の外周に位置する樹脂マスク２０の表面には設けられていないことが好ましい。金属材料を部分的に付着させる方法としては、マスキング処理などを挙げることができる。
【０１０３】
上記金属材料の付着にかえて、反射層５０として、金属シート（金属箔と言う場合もある）を用いることもできる。金属シートの厚みについて特に限定はないが、上記で説明した反射層５０の好ましい厚みとすることが望ましい。
【０１０４】
また、上記金属材料を付着させる、或いは金属シートを用いることにかえて、蒸着マスクを、樹脂マスク側から平面視した場合において、アライメントマーク４０の外周に位置する樹脂マスク２０の表面に、バインダー樹脂などに金属材料が分散されてなる塗工液を塗工して、反射層５０を形成することもできる。
【０１０５】
反射層形成工程を経ることで、図２２（ｄ）に示すように、蒸着作製するパターンに対応する開口部２５が設けられた樹脂マスク２０の一方の面上に、開口部２５と重なるスリット１５、及びアライメントマーク４０が設けられた金属マスク１０が積層され、蒸着マスク１００を樹脂マスク２０側から平面視した場合において、金属マスク１０に設けられたアライメントマーク４０の外周に位置する樹脂マスク２０の表面に反射層５０が設けられた第１実施形態蒸着マスクを得る。
【０１０６】
開口部を形成するためのレーザーの照射は、アライメントマーク用開口部２６の形成後に行ってもよく、アライメントマーク４０をアライメントマーク用開口部２６の形成前に行ってもよい。
【０１０７】
上記では、開口部２５の形成手段として、レーザー加工法を用いているが、レーザー加工法にかえて、精密プレス加工、フォトリソ加工、及びエッチング加工等を用いて、樹脂板を貫通させることで、樹脂板に蒸着作製するパターンに対応する開口部２５を形成することもできる。なお、高精細な開口部２５を容易に形成することができる点からは、開口部２５の形成には、レーザー加工法を用いることが好ましい。
【０１０８】
上記で説明した方法にかえて、図２３（ａ）に示すように、樹脂板３０上に最終的に反射層５０となる層５０Ａを形成し、図２３（ｂ）に示すように、当該層５０Ａにレーザー加工等の処理を施して反射層５０を形成し、また、樹脂板に開口部２５を形成することで、図２３（ｃ）に示すような第１実施形態の蒸着マスク１００を製造することもできる。反射層５０となる層５０Ａを用いた反射層５０の形成は、後述する第２実施形態、第３実施形態の蒸着マスクの製造方法に適用することもできる。例えば、第２実施形態の製造方法では、反射層５０となる層５０Ａ、及び樹脂板を、レーザー光によって一時に貫通させて、反射層５０と、アライメントマーク用開口部２６を同時に形成することもできる。
【０１０９】
＜第２実施形態の蒸着マスクの製造方法＞
第２実施形態の蒸着マスクの製造方法は、図２４（ａ）に示すように、アライメントマーク４０、及びスリット１５が設けられた金属マスク１０を、樹脂板３０と積層してなる樹脂板付き金属マスク１５０を準備する準備工程と、図２４（ｂ）に示すように、樹脂板付き金属マスク１５０に対し、レーザーを照射することで、図２４（ｃ）に示すように、樹脂板３０に蒸着作製するパターンに対応する開口部２５を形成し、且つ、金属マスク１０の表面を露出させることなく、アライメントマーク４０のみを露出させるためのアライメントマーク用開口部２６を形成する開口部形成工程と、図２４（ｄ）に示すように、樹脂マスク側から平面視したときに、アライメントマーク４０の外周に位置する樹脂マスクの表面に反射層５０を形成する反射層形成工程を含む。
【０１１０】
第２実施形態の蒸着マスクの製造方法は、開口部形成工程において、金属マスク１０の表面を露出させることなく、アライメントマーク４０のみを露出させるためのアライメントマーク用開口部２６を形成している点以外は、上記で説明した第１実施形態の蒸着マスクの製造方法と共通し、共通点についてのここでの説明は省略する。
【０１１１】
「開口部形成工程」
第２実施形態の蒸着マスクの製造方法における開口部形成工程は、図２４（ｂ）に示すように、樹脂板付き金属マスク１５０に対し、レーザーを照射することで、図２４（ｃ）に示すように、樹脂板３０に蒸着作製するパターンに対応する開口部２５を形成し、且つ、金属マスク１０の表面を露出させることなく、アライメントマーク４０のみを露出させるためのアライメントマーク用開口部２６を形成する工程である。図２４（ｂ）では、樹脂板３０側からレーザーを照射してアライメントマーク用開口部２６を形成しているが、金属マスク１０側から、貫通孔によって規定されているアライメントマーク４０を通してレーザーを照射し、樹脂板３０に、アライメントマーク４０を露出させるためのアライメントマーク用開口部２６を形成することもできる。また、レーザー加工以外の方法を用いて、開口部２５や、アライメントマーク用開口部２６を形成することもできる。
【０１１２】
＜第３実施形態の蒸着マスクの製造方法＞
第３実施形態の蒸着マスクの製造方法は、図２５（ａ）に示すように、アライメントマーク４０、及びスリット１５が設けられた金属マスク１０を、樹脂板３０と積層してなる樹脂板付き金属マスク１５０を準備する準備工程と、図２５（ｂ）に示すように、樹脂板付き金属マスク１５０に対し、レーザーを照射することで、図２５（ｃ）に示すように、樹脂板３０に蒸着作製するパターンに対応する開口部２５を形成し、且つ、金属マスク１０の表面の一部、及びアライメントマーク４０を露出させるためのアライメントマーク用開口部２６を形成する開口部形成工程と、図２５（ｄ）に示すように、樹脂マスク側から平面視したときに、アライメントマーク用開口部によって露出している金属マスクの外周に位置する樹脂マスクの表面に反射層５０を形成する反射層形成工程を含む。
【０１１３】
第３実施形態の蒸着マスクの製造方法は、開口部形成工程において、金属マスク１０の表面の一部、及びアライメントマーク４０を露出させるためのアライメントマーク用開口部２６を形成し、反射層形成工程において、樹脂マスク側から平面視したときに、アライメントマーク用開口部によって露出している金属マスクの外周に位置する樹脂マスクの表面に反射層５０を形成している点以外は、上記で説明した第１実施形態の蒸着マスクの製造方法と共通し、共通点についてのここでの説明は省略する。
【０１１４】
「開口部形成工程」
第３実施形態の蒸着マスクの製造方法における開口部形成工程は、図２５（ｂ）に示すように、樹脂板付き金属マスク１５０に対し、レーザーを照射することで、図２５（ｃ）に示すように、樹脂板３０に蒸着作製するパターンに対応する開口部２５を形成し、且つ、金属マスク１０の表面の一部、及びアライメントマーク４０を露出させるためのアライメントマーク用開口部２６を形成する工程である。レーザー加工以外の方法を用いて、開口部２５や、アライメントマーク用開口部２６を形成してもよい。
【０１１５】
「反射層形成工程」
第３実施形態の蒸着マスクの製造方法における反射層形成工程は、樹脂マスク側から平面視したときに、アライメントマーク用開口部によって露出している金属マスクの外周に位置する樹脂マスクの表面に反射層５０を形成する工程である。
【０１１６】
以上説明した、各種実施形態の蒸着マスクの製造方法によれば、大型化した場合でも高精細化と軽量化の双方を満たし、蒸着マスクを用いた製造過程における歩留まりの向上や、品質の向上が可能な蒸着マスクを得ることができる。具体的には、アライメントマークを正確に認識することができる蒸着マスクを得ることができる。また、樹脂板付き金属マスクをフレームに固定した後に、上記で説明した開口部形成工程を行ってもよい。
【０１１７】
＜＜蒸着マスク準備体＞＞
次に、本発明の一実施形態の蒸着マスク準備体について説明する。
【０１１８】
＜＜第１実施形態の蒸着マスク準備体＞＞
第１実施形態の蒸着マスク準備体は、図２６（ａ）に示すように、蒸着作製するパターンに対応する開口部が設けられた樹脂マスクの一方の面上に、開口部と重なるスリットが設けられた金属マスクが積層されてなる蒸着マスクを得るための蒸着マスク準備体であって、樹脂板３０の一方の面上に、スリット１５、及びアライメントマーク４０が設けられた金属マスク１０が積層されてなり、蒸着マスク準備体を樹脂板３０側から平面視した場合において、金属マスクに設けられたアライメントマークの外周に位置する樹脂板３０の表面に反射層５０が設けられていることを特徴としている。
【０１１９】
第１実施形態の蒸着マスク準備体は、樹脂板３０に開口部２５が設けられていない点以外は、上記で説明した第１実施形態の蒸着マスク１００と共通し、具体的な説明は省略する。
【０１２０】
＜＜第２実施形態の蒸着マスク準備体＞＞
第２実施形態の蒸着マスク準備体は、図２６（ｂ）に示すように、蒸着作製するパターンに対応する開口部が設けられた樹脂マスクの一方の面上に、開口部と重なるスリットが設けられた金属マスクが積層されてなる蒸着マスクを得るための蒸着マスク準備体であって、樹脂板３０の一方の面上に、スリット１５、及びアライメントマーク４０が設けられた金属マスク１０が積層されてなり、樹脂板３０には、金属マスク１０の表面を露出させることなく、アライメントマーク４０のみを露出させるためのアライメントマーク用開口部２６が設けられており、蒸着マスク準備体を樹脂板３０側から平面視した場合において、金属マスクに設けられたアライメントマークの外周に位置する樹脂板３０の表面に反射層５０が設けられていることを特徴としている。
【０１２１】
第２実施形態の蒸着マスク準備体は、樹脂板３０に開口部２５が設けられていない点以外は、上記で説明した第２実施形態の蒸着マスク１００と共通し、具体的な説明は省略する。
【０１２２】
＜＜第３実施形態の蒸着マスク準備体＞＞
第３実施形態の蒸着マスク準備体は、図２６（ｃ）に示すように、蒸着作製するパターンに対応する開口部が設けられた樹脂マスクの一方の面上に、開口部と重なるスリットが設けられた金属マスクが積層されてなる蒸着マスクを得るための蒸着マスク準備体であって、樹脂板３０の一方の面上に、スリット１５、及びアライメントマーク４０が設けられた金属マスク１０が積層されてなり、樹脂板３０には、金属マスク１０の表面の一部、及びアライメントマーク４０を露出させるためのアライメントマーク用開口部２６が設けられており、蒸着マスク準備体を樹脂板３０側から平面視した場合において、アライメントマーク用開口部２６によって露出している金属マスクの表面の外周に位置する樹脂板３０の表面に反射層５０が設けられていることを特徴としている。
【０１２３】
第３実施形態の蒸着マスク準備体は、樹脂板３０に開口部２５が設けられていない点以外は、上記で説明した第３実施形態の蒸着マスク１００と共通し、具体的な説明は省略する。
【０１２４】
以上説明した、各種実施形態の蒸着マスク準備体によれば、当該蒸着マスク準備体の樹脂板に開口部を形成することで、大型化した場合でも高精細化と軽量化の双方を満たし、蒸着マスクを用いた製造過程における歩留まりの向上や、品質の向上が可能な蒸着マスクを得ることができる。具体的には、アライメントマークを正確に認識することができる蒸着マスクを得ることができる。
【０１２５】
（有機半導体素子の製造方法）
次に、本発明の一実施形態の有機半導体素子の製造方法について説明する。本発明の一実施形態の有機半導体素子の製造方法は、フレーム付き蒸着マスクを用いた蒸着法により蒸着パターンを形成する工程を有し、当該有機半導体素子を製造する工程において以下のフレーム付き蒸着マスクが用いられる点に特徴を有する。
【０１２６】
フレーム付き蒸着マスクを用いた蒸着法により蒸着パターンを形成する工程を有する一実施形態の有機半導体素子の製造方法は、基板上に電極を形成する電極形成工程、有機層形成工程、対向電極形成工程、封止層形成工程等を有し、各任意の工程においてフレーム付き蒸着マスクを用いた蒸着法により基板上に蒸着パターンが形成される。例えば、有機ＥＬデバイスのＲ，Ｇ，Ｂ各色の発光層形成工程に、フレーム付き蒸着マスクを用いた蒸着法をそれぞれ適用する場合には、基板上に各色発光層の蒸着パターンが形成される。なお、本発明の一実施形態の有機半導体素子の製造方法は、これらの工程に限定されるものではなく、蒸着法を用いる従来公知の有機半導体素子の製造における任意の工程に適用可能である。
【０１２７】
本発明の一実施形態の有機半導体素子の製造方法は、上記蒸着パターンを形成する工程において、フレームに固定される前記蒸着マスクが、上記で説明した本発明の各種実施形態（第１実施形態、第２実施形態、第３実施形態）の蒸着マスクであることを特徴とする。
【０１２８】
フレーム付き蒸着マスクを構成する蒸着マスクについては、上記で説明した各種実施形態の蒸着マスク１００をそのまま用いることができ、ここでの詳細な説明は省略する。上記で説明した本発明の一実施形態の蒸着マスクをフレームに固定してなるフレーム付き蒸着マスクを用いた有機半導体素子の製造方法によれば、アライメントマークを正確に認識することができることから、このアライメントマークを利用して、当該フレーム付き蒸着マスクと蒸着対象物との位置合わせを正確に行うことができ、高精細なパターンを有する有機半導体素子を製造することができる。本発明の製造方法で製造される有機半導体素子としては、例えば、有機ＥＬ素子の有機層、発光層や、カソード電極等を挙げることができる。特に、本発明の一実施形態の有機半導体素子の製造方法は、高精細なパターン精度が要求される有機ＥＬ素子のＲ、Ｇ、Ｂ発光層の製造に好適に用いることができる。
【０１２９】
有機半導体素子の製造に用いられるフレーム付き蒸着マスクは、フレームに、上記で説明した本発明の各種実施形態の蒸着マスクが固定されているとの条件を満たすものであればよく、その他の条件について特に限定されることはない。フレームについて特に限定はなく、蒸着マスクを支持することができる部材であればよく、例えば、金属フレーム、セラミックフレーム等を使用することができる。中でも、金属フレームは、蒸着マスクの金属マスクとの溶接が容易であり、変形等の影響が小さい点で好ましい。以下、フレームとして金属フレームを用いた例を中心に説明する。例えば、図２７に示すように、金属フレーム６０に、１つの蒸着マスク１００が固定されてなる金属フレーム付き蒸着マスク２００を用いてもよく、図２８に示すように、金属フレーム６０に、複数の蒸着マスク（図示する形態では４つの蒸着マスク）が縦方向、或いは横方向に並べて固定（図示する形態では横方向に並べて固定）された金属フレーム付き蒸着マスク２００を用いてもよい。なお、図２７、図２８は、一実施形態の金属フレーム付き蒸着マスク２００を樹脂マスク２０側からみた正面図であり、アライメントマークは省略している。
【０１３０】
金属フレーム６０は、略矩形形状の枠部材であり、最終的に固定される蒸着マスク１００の樹脂マスク２０に設けられた開口部２５を蒸着源側に露出させるための開口を有する。金属フレームの材料について特に限定はないが、剛性が大きい金属材料、例えば、ＳＵＳや、インバー材などが好適である。
【０１３１】
金属フレームの厚みについても特に限定はないが、剛性等の点から１０ｍｍ〜３０ｍｍ程度であることが好ましい。金属フレームの開口の内周端面と、金属フレームの外周端面間の幅は、当該金属フレームと、蒸着マスクの金属マスクとを固定することができる幅であれば特に限定はなく、例えば、１０ｍｍ〜７０ｍｍ程度の幅を例示することができる。
【０１３２】
また、蒸着マスク１００を構成する樹脂マスク２０の開口部２５の露出を妨げない範囲で、金属フレームの開口に補強フレーム６５等が存在していてもよい。換言すれば、金属フレーム６０が有する開口が、補強フレーム等によって分割された構成を有していてもよい。図２７、図２８に示す形態では、横方向に延びる補強フレーム６５が縦方向に複数配置されているが、この補強フレーム６５にかえて、或いは、これとともに縦方向に延びる補強フレームが横方向に複数列配置されていてもよい。補強フレーム６５が配置された金属フレーム６０を用いることで、当該金属フレーム６０に、本発明の一実施形態の蒸着マスク１００を縦方向、及び横方向に複数並べて固定するときに、当該補強フレームと蒸着マスクが重なる位置においても、金属フレーム６０に蒸着マスクを固定することができる。
【０１３３】
金属フレーム６０と、本発明の一実施形態の蒸着マスク１００との固定方法についても特に限定はなく、レーザー光等により固定するスポット溶接、接着剤、ねじ止め等を用いて固定することができる。
【０１３４】
（フレーム付き蒸着マスク）
次に、本発明の一実施形態のフレーム付き蒸着マスクについて説明する。本発明の一実施形態のフレーム付き蒸着マスクは、図２７、図２８に示すように、フレーム６０に蒸着マスク１００が固定されてなるフレーム付き蒸着マスク２００であって、フレームに固定されてなる蒸着マスク１００が、上記で説明した各種実施形態の蒸着マスク１００であることを特徴としている。
【０１３５】
一実施形態のフレーム付き蒸着マスク２００によれば、アライメントマーク４０を正確検出することができることから、蒸着対象物とフレーム付き蒸着マスク２００との位置合わせを正確に行うことができ、高精細な蒸着パターンを作製することができる。
【符号の説明】
【０１３６】
２００…フレーム付き蒸着マスク
１００…蒸着マスク
１１０…蒸着マスク準備体
１５０…樹脂板付き金属マスク
１０…金属マスク
１５…スリット
１６…貫通孔
２０…樹脂マスク
２５…開口部
２６…アライメントマーク用開口部
３０…樹脂板
４０…アライメントマーク
５０…反射層
６０…金属フレーム
【図１】
0006375906.tif 000002
【図２】
0006375906.tif 000003
【図３】
0006375906.tif 000004
【図４】
0006375906.tif 000005
【図５】
0006375906.tif 000006
【図６】
0006375906.tif 000007
【図７】
0006375906.tif 000008
【図８】
0006375906.tif 000009
【図９】
0006375906.tif 000010
【図１０】
0006375906.tif 000011
【図１１】
0006375906.tif 000012
【図１２】
0006375906.tif 000013
【図１３】
0006375906.tif 000014
【図１４】
0006375906.tif 000015
【図１５】
0006375906.tif 000016
【図１６】
0006375906.tif 000017
【図１７】
0006375906.tif 000018
【図１８】
0006375906.tif 000019
【図１９】
0006375906.tif 000020
【図２０】
0006375906.tif 000021
【図２１】
0006375906.tif 000022
【図２２】
0006375906.tif 000023
【図２３】
0006375906.tif 000024
【図２４】
0006375906.tif 000025
【図２５】
0006375906.tif 000026
【図２６】
0006375906.tif 000027
【図２７】
0006375906.tif 000028
【図２８】
0006375906.tif 000029